(57)【要約】      （修正有）【課題】上方階での作業に邪魔にならないとともに取り扱いが簡便なエレベータポータブル運転装置を得る。【解決手段】エレベータのかごを昇降させるための信号を制御盤に入力するエレベータポータブル運転装置において、制御盤に接続されたコード８を巻き取る方向に力を加えるとともに操作盤からの信号をコードに接続するコード巻取りドラムを備え、コード巻取りドラムは、ドラム軸２３に対して回転自在に支持されるスプール２１と、スプールにコードを巻き取る方向の力を加えるドラム軸に一端が固定されたゼンマイバネ２５と、を備える。【選択図】図３
2010208711.tif 000002
【特許請求の範囲】
【請求項１】
エレベータのかごを昇降させるための信号を制御盤に入力するエレベータポータブル運転装置において、
上記制御盤に接続されたコードを巻き取る方向に力を加えるとともに操作盤からの信号を上記コードに接続するコード巻取りドラムを備えることを特徴とするエレベータポータブル運転装置。
【請求項２】
上記コード巻取りドラムは、ドラム軸に対して回転自在に支持されるスプールと、上記スプールに上記コードを巻き取る方向の力を加える上記ドラム軸に一端が固定されたゼンマイバネと、を備えることを特徴とする請求項１に記載のエレベータポータブル運転装置。
【請求項３】
上記スプールは、上記コードを接続するコネクターと、上記コネクターに接続される接触ブラシと、を備え、
上記ドラム軸は、上記スプールが上記ドラム軸の周りを周回するとき上記接触ブラシが描く軌跡に対向する側面にスリップリングを備えることを特徴とする請求項２に記載のエレベータポータブル運転装置。
【発明の詳細な説明】
【技術分野】
【０００１】
本発明は、エレベータの改修工事作業の際に、かご上でかごの昇降を行うエレベータポータブル運転装置に関する。
【背景技術】
【０００２】
エレベータの改修工事作業の際に、機械室制御盤とポータブル運転装置とを通信ケーブルで接続し、ポータブル運転装置からの信号を機械室制御盤に伝達し、かごを昇降運転操作する。機械室に設置される工事専用運転制御盤と、操作スイッチ類を有し乗かご上に設置される操作器とを、通信ケーブルを介して接続し、正規の運転制御盤を使用せずに乗かごの運転が行えるエレベータ工事用のかご運転装置において、工事専用運転制御盤と操作器の双方に接続されて乗かご上に設置される接続器を備え、通信ケーブルの一端に設けた第１のコネクターを工事専用運転制御盤に取着しケーブルの他端に設けた第２のコネクターを接続器に取着するとともに、操作器に接続されている第３のコネクターを接続器に取着した（例えば、特許文献１参照）。
【先行技術文献】
【特許文献】
【０００３】
【特許文献１】特開平８−２５９１２１号公報
【発明の概要】
【発明が解決しようとする課題】
【０００４】
この機械室制御盤とポータブル運転装置とを接続する通信ケーブルの長さは、最下階でも利用できる長さが必要であるが、上方階にきたときはこの通信ケーブルをまとめておく必要があり、非常に作業を進める上で邪魔になる。
また、運転中も通信ケーブルが絡まったり、引っ掛かったりしないように注意する必要があり、取り扱いが面倒である。
【０００５】
この発明は、上述のような課題を解決するためになされたものであり、上方階での作業に邪魔にならないとともに取り扱いが簡便なエレベータポータブル運転装置を得ることを目的とする。
【課題を解決するための手段】
【０００６】
この発明に係るエレベータポータブル運転装置は、エレベータのかごを昇降させるための信号を制御盤に入力するエレベータポータブル運転装置において、上記制御盤に接続されたコードを巻き取る方向に力を加えるとともに操作盤からの信号を上記コードに接続するコード巻取りドラムを備える。
【発明の効果】
【０００７】
かご上に置かれた本発明に係るエレベータポータブル運転装置はかごが上昇するときコード巻取りドラムにコードが自動的に巻き取られ、かごが下降するときコード巻取りドラムからコードが自動的に引き出されるため、機械室での人力による引き出しや巻取り操作が不必要となり、取り扱いが簡便である。
また、常にコードにテンションが掛かっているので、コードが緩むことがなく、緩みによる昇降路機器との接触が回避でき、上方階での作業に邪魔にならない。
【図面の簡単な説明】
【０００８】
【図１】この発明に係るエレベータポータブル運転装置を使用してエレベータを運転している様子を示す図である。
【図２】この発明に係るエレベータポータブル運転装置の正面図である。
【図３】この発明のコード巻取りドラムのドラム軸に沿った縦断面図である。
【図４】図３の断面Ａ−Ａでのコード巻取りドラムの断面図である。
【図５】コードとコネクターとの関係を説明するための図である。
【発明を実施するための形態】
【０００９】
実施の形態１．
図１は、この発明に係るエレベータポータブル運転装置を使用してエレベータを運転している様子を示す図である。図２は、この発明に係るエレベータポータブル運転装置の正面図である。図３は、この発明のコード巻取りドラムのドラム軸に沿った縦断面図である。図４は、図３の断面Ａ−Ａでのコード巻取りドラムの断面図である。図５は、コードとコネクターとの関係を説明するための図である。図３は、図４の断面Ｂ−Ｂでの断面図である。
【００１０】
この発明に係るエレベータは、図１に示すように、乗車した乗客を昇降するかご５、かご５を吊り上げるロープ２、ロープ２を走行させる巻上げ機１、ロープ２の走行方向を反らせる反らせ車３、ロープ２の他端に固定される釣合錘６を備える。
そして、保守点検などでかご５を移動するときかご５の天井の上に作業者９がエレベータポータブル運転装置７のコード巻取りドラム１０を載せ、コード巻取りドラム１０からコード８を引き出して制御盤４に接続する。そして、作業者９はエレベータポータブル運転装置７の操作盤１２を操作してかご５を所望の位置に移動して点検作業などを行う。
【００１１】
この発明に係るエレベータポータブル運転装置７は、図２に示すように、制御盤４に信号を送る信号線及び制御盤４から１００Ｖ電源を入手する電源線がまとめられたコード８、コード８を巻き取るコード巻取りドラム１０、コード８に信号を送る操作盤１２、作業場所を照明する移動灯１１を備える。
コード８は、信号線を３本、電源線を２本含んでいる。そして、コード８の一端には信号線及び電源線と接続されたコネクター８ａが固定されている。
【００１２】
コード巻取りドラム１０は、図３に示すように、コード８を巻き取るときコード８を収容するスプール２１、スプール２１を軸受２２を介して回転自在に支持するドラム軸２３、ドラム軸２３を水平に支持するドラム支持枠２４、引き出す方向の力がコード８に加わっていないときコード８を巻き取る方向にスプール２１とドラム軸２３との間に力を加えるゼンマイばね２５を有する。
【００１３】
スプール２１は、内径がドラム軸２３の外径より少し大きい円筒状のスプール軸２１ａ、スプール軸２１ａの両端に設けられ巻き取られたコード８が横に広がらないように制約する鍔２１ｂ、２１ｃを有する。一方の鍔２１ｃは、ゼンマイばね２５を収容し、ゼンマイばね２５の一端が固定されている。そして、コード８がスプール２１から引き出されるとスプール２１はドラム軸２３を中心にして回転してゼンマイばね２５が付勢される。
スプール軸２１ａの一部には、コネクター８ａと接続されるコネクター２６を取り付けられるように径を大きくしている。また、スプール軸２１ａの内側面から５個の接触ブラシ２７が突き出されている。コネクター２６と接触ブラシ２７はリード線２８により接続されている。
【００１４】
ドラム軸２３には、スプール軸２１ａから突き出ている接触ブラシ２７に対面する外側面を周回するように５個のスリップリング２９が嵌め合わされている。また、ドラム軸２３の一方の端部にコネクター３１、３２が設けられている。また、スリップリング２９とコネクター３１、３２がリード線３０を介して接続されている。全体として見れば、コード８の３本の信号線がコネクター３１、２本の電源線がコネクター３２に連なっている。
【００１５】
コネクター３１には、３本の信号線が、コネクター３２には２本の電源線が接続されている。コネクター３１には、操作盤１２から延びたリード線３３の先端に設けられたコネクター３４が嵌合される。また、コネクター３２には、移動灯１１から延びたリード線３５の先端に設けられたコネクター３６が嵌合される。
【００１６】
この発明に係るエレベータポータブル運転装置７によれば、かご５上に置かれたエレベータポータブル運転装置７はかご５が上昇するときコード巻取りドラム１０にコード８が自動的に巻き取られ、かご５が下降するときコード巻取りドラム１０からコード８が自動的に引き出されるため、機械室での人力による引き出しや巻取り操作が不必要となり、取り扱いが簡便である。
また、常にコード８にテンションが掛かっているので、コード８が緩むことがなく、緩みによる昇降路機器との接触が回避でき、上方階での作業に邪魔にならない。
【符号の説明】
【００１７】
１  巻上げ機、２  ロープ、３  反らせ車、４  制御盤、５  かご、６  釣合錘、７  エレベータポータブル運転装置、８  コード、８ａ  コネクター、９  作業者、１０  コード巻取りドラム、１１  移動灯、１２  操作盤、２１  スプール、２１ａ  スプール軸、２１ｂ、２１ｃ  鍔、２２  軸受、２３  ドラム軸、２４  ドラム支持枠、２５  ゼンマイバネ、２６  コネクター、２７  接触ブラシ、２８  リード線、２９  スリップリング、３０  リード線、３１、３２  コネクター、３３  リード線、３４  コネクター、３５  リード線、３６  コネクター。
【図１】
2010208711.tif 000003
【図２】
2010208711.tif 000004
【図３】
2010208711.tif 000005
【図４】
2010208711.tif 000006
【図５】
2010208711.tif 000007